(57)【要約】【課題】  簡単安価な構造で薄型化を図ること。【解決手段】  ズーム操作時には、カム筒１を突出状態で正逆回転ｃ，ｄさせることより回転規制機構Ａ（スリット５Ａ，５Ｂ及びキー９ａ，１０ａ）と、カム機構Ｂ（カム溝１Ａ，１Ｂ及びカムピン９ｂ，１０ｂ）との相互作用で１群レンズ枠９及び２群レンズ枠１０を広角位置Ｊと望遠位置Ｋとの間で出退ａ，ｂさせ、沈胴操作時には、カム筒１を逆転ｄさせることにより両機構Ａ，Ｂの相互作用で１群レンズ枠９をカム筒１内に後退ｂさせると共に、該カム筒１を固定筒２内に後退ｂさせるようになっており、１群から３群のレンズ枠９〜１１の光軸Ｚ１〜Ｚ３が回転中心軸Ｏから位置ずれされ、直進案内筒５に形成した両スリット５Ａ，５Ｂの後端部どうしを連通させる連通溝１４がその直進案内筒５に形成されている。【選択図】        図１
2007004037.tif 000002
【特許請求の範囲】
【請求項１】
内周面に複数のカム溝を形成したカム筒が固定筒内に出退可能に挿入され、該カム筒内
に回転中心軸と平行するスリットを形成した直進案内筒が嵌合され、該直進案内筒の外周
面と固定筒の内周面とのうち、その一方に回転中心軸と平行する縦溝が形成されると共に
、その他方に縦溝に嵌入する突起部が突設され、前記固定筒の後端枠に固体撮像素子が配
置されると共に、該固体撮像素子の前方に１群から３群のレンズ枠がそれぞれ出退方向に
所定間隔をおいて回転中心軸と同心状に配置され、その１群レンズ枠及び２群レンズ枠の
外周面にキーとカムピンとが突設され、その各キーを前記スリットに嵌入させることによ
り回転規制機構が形成されると共に、前記各カムピンを前記各カム溝に嵌入させることに
よりカム機構が形成されており、ズーム操作時には、カム筒を固定筒から突出させた状態
で正逆回転させることより前記両機構の相互作用で１群レンズ枠及び２群レンズ枠を広角
位置と望遠位置との間で出退させ、沈胴操作時には、カム筒を逆転させることにより両機
構の相互作用で１群レンズ枠をカム筒内に後退させると共に、該カム筒を固定筒内に後退
させるようにした光学ユニットにおいて、１群から３群のレンズ枠の光軸が回転中心軸か
ら位置ずれされ、前記スリットが、１群レンズ枠のキーを嵌入させるための１群レンズ枠
用スリットと、２群レンズ枠のキーを嵌入させるための２群レンズ枠用スリットとに分け
られ、該両スリットが互いに所定角度をおいて周方向に位置ずれした状態で直進案内筒に
形成され、該直進案内筒の両スリット間の隔壁の後端部を切欠いて該両スリットの後端部
どうしを連通させる連通溝がその直進案内筒に形成されており、沈胴操作時には、カム筒
を逆転させて前記両機構の相互作用で２群レンズ枠を広角位置から退避位置まで後退させ
ることにより、該２群レンズ枠のキー及びカムピンを２群レンズ枠用スリットから前記連
通溝に対応する位置まで後退させ、続いて、前記カム筒の逆転により２群レンズ枠を回転
中心軸回りで所定角度回転させて、該２群レンズ枠のキー及びカムピンを前記連通溝を通
って１群レンズ枠用スリットに対応する位置まで移動させ、これにより、２群レンズ枠の
レンズを１群及び３群のレンズ枠のレンズ間から側方に退避させた後、前記カム筒の逆転
により１群レンズ枠をカム筒内に後退させると共に、該カム筒を固定筒内に後退させ、さ
らに、２群レンズ枠のキー及びカムピンを１群レンズ枠用スリット内に移動させることに
より、その２群レンズ枠のレンズを１群及び３群のレンズ枠のレンズの両方またはその一
方とオーバーラップさせ、前記カム筒の１群レンズ枠用カム溝及び２群レンズ枠用カム溝
が周方向に所定角度をおいて複数形成され、その所定角度ごとの１群レンズ枠用カム溝及
び２群レンズ枠用カム溝の沈胴位置側端部を周方向にほぼ一致させると共に、前記両スリ
ットの周方向への位置ずれに対応して２群レンズ枠用カム溝の望遠位置側端部を１群レン
ズ枠用カム溝の望遠位置側端部よりも周方向に短く設定し、その各１群レンズ枠用カム溝
の望遠位置側端部に対して隣接する１群レンズ枠用カム溝及び２群レンズ枠用カム溝の沈
胴位置側端部を周方向にオーバーラップさせることを特徴とする光学ユニット。
【請求項２】
内周面に複数のカム溝を形成したカム筒が固定筒内に出退可能に挿入され、該カム筒内
に回転中心軸と平行するスリットを形成した直進案内筒が嵌合され、該直進案内筒の外周
面と固定筒の内周面とのうち、その一方に回転中心軸と平行する縦溝が形成されると共に
、その他方に縦溝に嵌入する突起部が突設され、前記固定筒の後端枠に固体撮像素子が配
置されると共に、該固体撮像素子の前方に１群から３群のレンズ枠がそれぞれ出退方向に
所定間隔をおいて配置され、その１群レンズ枠及び２群レンズ枠の外周面にキーとカムピ
ンとが突設され、その各キーを前記スリットに嵌入させることにより回転規制機構が形成
されると共に、前記各カムピンを前記各カム溝に嵌入させることによりカム機構が形成さ
れており、ズーム操作時には、カム筒を固定筒から突出させた状態で正逆回転させること
より前記両機構の相互作用で１群レンズ枠及び２群レンズ枠を広角位置と望遠位置との間
で出退させ、沈胴操作時には、カム筒を逆転させることにより両機構の相互作用で１群レ
ンズ枠をカム筒内に後退させると共に、該カム筒を固定筒内に後退させるようにした光学
ユニットにおいて、１群から３群のレンズ枠の光軸が回転中心軸から位置ずれされ、前記
スリットが、１群レンズ枠のキーを嵌入させるための１群レンズ枠用スリットと、２群レ
ンズ枠のキーを嵌入させるための２群レンズ枠用スリットとに分けられ、該両スリットが
互いに所定角度をおいて周方向に位置ずれした状態で直進案内筒に形成され、該直進案内
筒の両スリット間の隔壁の後端部を切欠いて該両スリットの後端部どうしを連通させる連
通溝がその直進案内筒に形成されており、沈胴操作時には、カム筒を逆転させて前記両機
構の相互作用で２群レンズ枠を広角位置から退避位置まで後退させることにより、該２群
レンズ枠のキー及びカムピンを２群レンズ枠用スリットから前記連通溝に対応する位置ま
で後退させ、続いて、前記カム筒の逆転により２群レンズ枠を回転中心軸回りで所定角度
回転させて、該２群レンズ枠のキー及びカムピンを前記連通溝を通って１群レンズ枠用ス
リットに対応する位置まで移動させ、これにより、２群レンズ枠のレンズを１群及び３群
のレンズ枠のレンズ間から側方に退避させた後、前記カム筒の逆転により１群レンズ枠を
カム筒内に後退させると共に、該カム筒を固定筒内に後退させ、さらに、２群レンズ枠の
キー及びカムピンを１群レンズ枠用スリット内に移動させることにより、その２群レンズ
枠のレンズを１群及び３群のレンズ枠のレンズの両方またはその一方とオーバーラップさ
せることを特徴とする光学ユニット。
【請求項３】
前記カム筒の１群レンズ枠用カム溝及び２群レンズ枠用カム溝が周方向に所定角度をお
いて複数形成され、その所定角度ごとの１群レンズ枠用カム溝及び２群レンズ枠用カム溝
の沈胴位置側端部を周方向にほぼ一致させると共に、前記両スリットの周方向への位置ず
れに対応して２群レンズ枠用カム溝の望遠位置側端部を１群レンズ枠用カム溝の望遠位置
側端部よりも周方向に短く設定し、その各１群レンズ枠用カム溝の望遠位置側端部に対し
て隣接する１群レンズ枠用カム溝及び２群レンズ枠用カム溝の沈胴位置側端部を周方向に
オーバーラップさせることを特徴とする請求項２に記載の光学ユニット。
【発明の詳細な説明】
【技術分野】
【０００１】
本発明は、例えばデジタルカメラなどに用いられる光学ユニットに関し、特に薄型化と
小型化とを図ることができるようにしたものである。
【背景技術】
【０００２】
従来、デジタルカメラ用光学ユニットの一例として図９〜図１１に示すものがあり、図
９は望遠撮影状態、図１０は広角撮影状態、図１１は沈胴状態をそれぞれ示すものであっ
て、これは、内周面に２種類のカム溝１Ａ，１Ｂを形成したカム筒１が固定筒２内に出退
ａ，ｂ可能に挿入されると共に、該カム筒１の外周面に突設した複数の係合ピン３が固定
筒２の内周面に形成した係合溝２Ａに嵌入されており、カム筒１の外周面に形成した歯車
部４に噛合するピニオン（図示せず）を駆動して該カム筒１を正逆回転ｃ，ｄさせること
により、カム筒１を突出ａさせたり（図９参照）、後退ｂさせる（図１１参照）。
【０００３】
直進案内筒５にその後端から前端近傍まで回転中心軸Ｏと平行する複数のスリット５Ａ
が形成され、該直進案内筒５の先端フック５ａをカム筒１の内周面先端の環状溝６に係合
させると共に、その直進案内筒５の後端に一体突設した突起部５ｂを固定筒２の内周面に
形成した回転中心軸Ｏと平行する縦溝７に嵌入させ、これによって、直進案内筒５がカム
筒１と一体に嵌合された状態で回転中心軸Ｏに沿って直線的に出退ａ，ｂされる。
【０００４】
前記固定筒２の後端枠２ａに固体撮像素子ＣＣＤが配置されると共に、該固体撮像素子
ＣＣＤの前方に１群から３群のレンズ枠９〜１１がそれぞれ所定間隔をおいて配置され、
その各レンズ枠９〜１１内に嵌め込んだレンズＬ１〜Ｌ３の光軸Ｚ１〜Ｚ３が回転中心軸
Ｏと同心状に位置決めされている。
【０００５】
１群レンズ枠９及び２群レンズ枠１０の外周面に複数のキー９ａ，１０ａとカムピン９
ｂ，１０ｂとが突設され、その各キー９ａ，１０ａを各スリット５Ａに嵌入させることに
より回転規制機構Ａが形成されると共に、各カムピン９ｂ，１０ｂを各スリット５Ａを通
って各カム溝１Ａ，１Ｂに嵌入させることによりカム機構Ｂが形成されており、カム筒１
を正逆回転ｃ，ｄさせると、両機構Ａ，Ｂの相互作用により１群レンズ枠９及び２群レン
ズ枠１０が回転中心軸Ｏに沿って直線的に出退ａ，ｂされる。なお、図９（ａ）中、１２
は１群レンズ枠９と２群レンズ枠１０との間に介在させた間隔調整ばねである。
【０００６】
ズーム操作時には、カム筒１を固定筒２から突出ａさせた状態（図９及び図１０参照）
で、該カム筒１を正逆回転ｃ，ｄさせることより、両機構Ａ，Ｂの相互作用で１群レンズ
枠９及び２群レンズ枠１０を広角位置Ｊ（図１０参照）と望遠位置Ｋ（図９参照）との間
で出退ａ，ｂさせ、所望の撮影角度で撮影する。また、３群レンズ枠１１を出退ａ，ｂさ
せることにより、フォーカッシングを行う。
【０００７】
沈胴操作時には、図１１に示すように、カム筒１を逆転ｄさせることにより両機構Ａ，
Ｂの相互作用で１群レンズ枠９をカム筒１内に後退ｂさせると共に、該カム筒１を固定筒
２内に後退ｂさせることにより、１群レンズ枠９及び２群レンズ枠１０を沈胴位置Ｐに停
止させる。
【０００８】
上記構成によれば、沈胴状態（図１１参照）で各レンズ枠９〜１１間の間隔を狭めてい
るだけであるから、沈胴幅Ｈが比較的大きく、薄型化に限界がある。
【０００９】
上記問題点を解消する技術として特許文献１に記載したものがある。これは、沈胴操作
時に、揺動アーム機構により２群レンズ枠１０のレンズＬ２を１群及び３群のレンズ枠９
，１１のレンズＬ１，Ｌ３間から側方に退避させ、その退避により１群及び３群のレンズ
枠９，１１のレンズＬ１，Ｌ３間に生じた空隙を狭めて沈胴幅Ｈを小さくする。
【特許文献１】特開２００３−３１５８６１号公報
【発明の開示】
【発明が解決しようとする課題】
【００１０】
上記従来の構成では、２群レンズ枠１０のレンズＬ２を側方に退避させるために揺動ア
ーム機構を用いており、その揺動アーム機構では、構造が複雑で部品点数も多くなり、製
作費が高くつくという欠点がある。
【００１１】
本発明は、上記従来の欠点に鑑み、簡単安価な構造で薄型化と小型化とを図ることがで
きるようにした光学ユニットを提供することを目的としている。
【課題を解決するための手段】
【００１２】
上記目的を達成するため、請求項１に記載の発明は、内周面に複数のカム溝を形成した
カム筒が固定筒内に出退可能に挿入され、該カム筒内に回転中心軸と平行するスリットを
形成した直進案内筒が嵌合され、該直進案内筒の外周面と固定筒の内周面とのうち、その
一方に回転中心軸と平行する縦溝が形成されると共に、その他方に縦溝に嵌入する突起部
が突設され、前記固定筒の後端枠に固体撮像素子が配置されると共に、該固体撮像素子の
前方に１群から３群のレンズ枠がそれぞれ出退方向に所定間隔をおいて回転中心軸と同心
状に配置され、その１群レンズ枠及び２群レンズ枠の外周面にキーとカムピンとが突設さ
れ、その各キーを前記スリットに嵌入させることにより回転規制機構が形成されると共に
、前記各カムピンを前記各カム溝に嵌入させることによりカム機構が形成されており、ズ
ーム操作時には、カム筒を固定筒から突出させた状態で正逆回転させることより前記両機
構の相互作用で１群レンズ枠及び２群レンズ枠を広角位置と望遠位置との間で出退させ、
沈胴操作時には、カム筒を逆転させることにより両機構の相互作用で１群レンズ枠をカム
筒内に後退させると共に、該カム筒を固定筒内に後退させるようにした光学ユニットにお
いて、１群から３群のレンズ枠の光軸が回転中心軸から位置ずれされ、前記スリットが、
１群レンズ枠のキーを嵌入させるための１群レンズ枠用スリットと、２群レンズ枠のキー
を嵌入させるための２群レンズ枠用スリットとに分けられ、該両スリットが互いに所定角
度をおいて周方向に位置ずれした状態で直進案内筒に形成され、該直進案内筒の両スリッ
ト間の隔壁の後端部を切欠いて該両スリットの後端部どうしを連通させる連通溝がその直
進案内筒に形成されており、沈胴操作時には、カム筒を逆転させて前記両機構の相互作用
で２群レンズ枠を広角位置から退避位置まで後退させることにより、該２群レンズ枠のキ
ー及びカムピンを２群レンズ枠用スリットから前記連通溝に対応する位置まで後退させ、
続いて、前記カム筒の逆転により２群レンズ枠を回転中心軸回りで所定角度回転させて、
該２群レンズ枠のキー及びカムピンを前記連通溝を通って１群レンズ枠用スリットに対応
する位置まで移動させ、これにより、２群レンズ枠のレンズを１群及び３群のレンズ枠の
レンズ間から側方に退避させた後、前記カム筒の逆転により１群レンズ枠をカム筒内に後
退させると共に、該カム筒を固定筒内に後退させ、さらに、２群レンズ枠のキー及びカム
ピンを１群レンズ枠用スリット内に移動させることにより、その２群レンズ枠のレンズを
１群及び３群のレンズ枠のレンズの両方またはその一方とオーバーラップさせ、前記カム
筒の１群レンズ枠用カム溝及び２群レンズ枠用カム溝が周方向に所定角度をおいて複数形
成され、その所定角度ごとの１群レンズ枠用カム溝及び２群レンズ枠用カム溝の沈胴位置
側端部を周方向にほぼ一致させると共に、前記両スリットの周方向への位置ずれに対応し
て２群レンズ枠用カム溝の望遠位置側端部を１群レンズ枠用カム溝の望遠位置側端部より
も周方向に短く設定し、その各１群レンズ枠用カム溝の望遠位置側端部に対して隣接する
１群レンズ枠用カム溝及び２群レンズ枠用カム溝の沈胴位置側端部を周方向にオーバーラ
ップさせることを特徴としている。
【００１３】
請求項２に記載の発明は、内周面に複数のカム溝を形成したカム筒が固定筒内に出退可
能に挿入され、該カム筒内に回転中心軸と平行するスリットを形成した直進案内筒が嵌合
され、該直進案内筒の外周面と固定筒の内周面とのうち、その一方に回転中心軸と平行す
る縦溝が形成されると共に、その他方に縦溝に嵌入する突起部が突設され、前記固定筒の
後端枠に固体撮像素子が配置されると共に、該固体撮像素子の前方に１群から３群のレン
ズ枠がそれぞれ出退方向に所定間隔をおいて配置され、その１群レンズ枠及び２群レンズ
枠の外周面にキーとカムピンとが突設され、その各キーを前記スリットに嵌入させること
により回転規制機構が形成されると共に、前記各カムピンを前記各カム溝に嵌入させるこ
とによりカム機構が形成されており、ズーム操作時には、カム筒を固定筒から突出させた
状態で正逆回転させることより前記両機構の相互作用で１群レンズ枠及び２群レンズ枠を
広角位置と望遠位置との間で出退させ、沈胴操作時には、カム筒を逆転させることにより
両機構の相互作用で１群レンズ枠をカム筒内に後退させると共に、該カム筒を固定筒内に
後退させるようにした光学ユニットにおいて、１群から３群のレンズ枠の光軸が回転中心
軸から位置ずれされ、前記スリットが、１群レンズ枠のキーを嵌入させるための１群レン
ズ枠用スリットと、２群レンズ枠のキーを嵌入させるための２群レンズ枠用スリットとに
分けられ、該両スリットが互いに所定角度をおいて周方向に位置ずれした状態で直進案内
筒に形成され、該直進案内筒の両スリット間の隔壁の後端部を切欠いて該両スリットの後
端部どうしを連通させる連通溝がその直進案内筒に形成されており、沈胴操作時には、カ
ム筒を逆転させて前記両機構の相互作用で２群レンズ枠を広角位置から退避位置まで後退
させることにより、該２群レンズ枠のキー及びカムピンを２群レンズ枠用スリットから前
記連通溝に対応する位置まで後退させ、続いて、前記カム筒の逆転により２群レンズ枠を
回転中心軸回りで所定角度回転させて、該２群レンズ枠のキー及びカムピンを前記連通溝
を通って１群レンズ枠用スリットに対応する位置まで移動させ、これにより、２群レンズ
枠のレンズを１群及び３群のレンズ枠のレンズ間から側方に退避させた後、前記カム筒の
逆転により１群レンズ枠をカム筒内に後退させると共に、該カム筒を固定筒内に後退させ
、さらに、２群レンズ枠のキー及びカムピンを１群レンズ枠用スリット内に移動させるこ
とにより、その２群レンズ枠のレンズを１群及び３群のレンズ枠のレンズの両方またはそ
の一方とオーバーラップさせることを特徴としている。
【００１４】
請求項３に記載の発明は、請求項２に記載の発明において、前記カム筒の１群レンズ枠
用カム溝及び２群レンズ枠用カム溝が周方向に所定角度をおいて複数形成され、その所定
角度ごとの１群レンズ枠用カム溝及び２群レンズ枠用カム溝の沈胴位置側端部を周方向に
ほぼ一致させると共に、前記両スリットの周方向への位置ずれに対応して２群レンズ枠用
カム溝の望遠位置側端部を１群レンズ枠用カム溝の望遠位置側端部よりも周方向に短く設
定し、その各１群レンズ枠用カム溝の望遠位置側端部に対して隣接する１群レンズ枠用カ
ム溝及び２群レンズ枠用カム溝の沈胴位置側端部を周方向にオーバーラップさせることを
特徴としている。
【発明の効果】
【００１５】
請求項１に記載の発明は第１、第２の実施の形態（図１〜図８参照）に対応するもので
あって、これによれば、沈胴操作時にカム筒を逆転させるだけで、２群レンズ枠のレンズ
を１群及び３群のレンズ枠のレンズ間から側方に退避させた後、その２群レンズ枠のレン
ズを１群及び３群のレンズ枠のレンズの両方（図８参照）またはその一方（図４参照）と
オーバーラップさせるから、そのオーバーラップ分だけ沈胴幅を小さくして、著しく薄型
化を図ることができる。
【００１６】
また、２群レンズ枠のレンズを退避させるために、１群レンズ枠用スリットと２群レン
ズ枠用スリットとを直進案内筒に別個に形成すると共に、該直進案内筒に両スリットの後
端部どうしを連通させる連通溝を追加して形成しているだけであるから、構造が簡単で部
品点が増加せず、従来に比べて製作費を大幅に安くすることができる。
【００１７】
更に各１群レンズ枠用カム溝の望遠位置側端部に対して隣接する１群レンズ枠用カム溝
及び２群レンズ枠用カム溝の沈胴位置側端部を周方向にオーバーラップさせているから、
そのオーバーラップ分だけカム筒の内径を小さくして小型化を図ることができると共に、
その小型化によってカム筒を正逆回転させる駆動力も小さくできるから、経済的である。
【００１８】
請求項２に記載の発明は基本形態に対応するものであって、これによれば、沈胴操作時
にカム筒を逆転させるだけで、２群レンズ枠のレンズを１群及び３群のレンズ枠のレンズ
間から側方に退避させた後、その２群レンズ枠のレンズを１群及び３群のレンズ枠のレン
ズの両方またはその一方とオーバーラップさせるから、そのオーバーラップ分だけ沈胴幅
を小さくして、著しく薄型化を図ることができる。
【００１９】
また、２群レンズ枠のレンズを退避させるために、１群レンズ枠用スリットと２群レン
ズ枠用スリットとを直進案内筒に別個に形成すると共に、該直進案内筒に両スリットの後
端部どうしを連通させる連通溝を追加して形成しているだけであるから、構造が簡単で部
品点が増加せず、従来に比べて製作費を大幅に安くすることができる。
【００２０】
請求項３に記載の発明によれば、各１群レンズ枠用カム溝の望遠位置側端部に対して隣
接する１群レンズ枠用カム溝及び２群レンズ枠用カム溝の沈胴位置側端部を周方向にオー
バーラップさせているから、そのオーバーラップ分だけカム筒の内径を小さくして小型化
を図ることができると共に、その小型化によってカム筒を正逆回転させる駆動力も小さく
できるから、経済的である。
【発明を実施するための最良の形態】
【００２１】
図１〜図７は本発明の第１の実施の形態であるデジタルカメラ用光学ユニットを示すも
のであって、１群から３群のレンズ枠９〜１１の光軸Ｚ１〜Ｚ３が回転中心軸Ｏから所定
間隔ｎだけ位置ずれされ、直進案内筒５に、１群レンズ枠９の各キー９ａを嵌入させるた
めの１群レンズ枠用スリット５Ａと、２群レンズ枠１０の各キー１０ａを嵌入させるため
の２群レンズ枠用スリット５Ｂとが形成されている。また、図３（ｂ）に示すように、２
群レンズ枠１０用カム溝１Ｂの広角位置Ｊと沈胴位置Ｐとの間に、２群レンズ枠１０を広
角位置Ｊから若干後退ｂさせるための退避位置Ｑが形成されている。
【００２２】
前記各１群レンズ枠用スリット５Ａと各２群レンズ枠用スリット５Ｂとは、図１（ｂ）
に示すように、隣接するものどうし互いに所定角度αをおいて周方向に位置ずれした状態
で直進案内筒５に形成され、該直進案内筒５の両スリット５Ａ，５Ｂ間の隔壁の後端部５
ｃ〔図１（ｂ）仮想線参照〕を切欠いて該両スリット５Ａ，５Ｂの後端部どうしを連通さ
せる連通溝１４がその直進案内筒５に形成されている。
【００２３】
図７のカム筒１の展開図に示すように、１群レンズ枠用カム溝１Ａ及び２群レンズ枠用
カム溝１Ｂが周方向に所定角度をおいて複数（この実施の形態では３つ）形成され、その
所定角度ごとの１群レンズ枠用カム溝１Ａ及び２群レンズ枠用カム溝１Ｂの沈胴位置側端
部１Ａａ，１Ｂａを周方向にほぼ一致させると共に、前記両スリット５Ａ，５Ｂの周方向
への位置ずれαに対応して２群レンズ枠用カム溝１Ｂの望遠位置側端部１Ｂｂを１群レン
ズ枠用カム溝１Ａの望遠位置側端部１Ａｂよりも周方向に短く設定し、その各１群レンズ
枠用カム溝１Ａの望遠位置側端部１Ａｂに対して隣接する１群レンズ枠用カム溝１Ａ及び
２群レンズ枠用カム溝１Ｂの沈胴位置側端部１Ａａ，１Ｂａを周方向にオーバーラップさ
せている。
【００２４】
上記構成によれば、各１群レンズ枠用カム溝１Ａの望遠位置側端部１Ａｂに対して隣接
する１群レンズ枠用カム溝１Ａ及び２群レンズ枠用カム溝１Ｂの沈胴位置側端部１Ａａ，
１Ｂａを周方向にオーバーラップさせているから、そのオーバーラップ分θだけカム筒１
の内径を小さくして小型化を図ることができると共に、その小型化によってカム筒１を歯
車部４を介して正逆回転ｃ，ｄさせる駆動モータの駆動力も小さくできるから、経済的で
ある。
【００２５】
図６に示すように、カム筒１の前端面に前面板１ａが一体形成されると共に、該前面板
１ａに１群レンズ枠９の円筒レンズ部９ｃを挿通するための挿通口１５が形成され、１群
レンズ枠９に２群レンズ枠１０の円筒レンズ部１０ｄを挿通するための挿通口１６が形成
されている。上記以外の構成で図９〜図１１に示す構成と同一部分に同一符号を付してそ
の説明を省略する。
【００２６】
ズーム操作時には、カム筒１を固定筒２から突出ａさせた状態（図１及び図２参照）で
、該カム筒１を正逆回転ｃ，ｄさせることより、回転規制機構Ａ（スリット５Ａ，５Ｂ及
びキー９ａ，１０ａ）と、カム機構Ｂ（カム溝１Ａ，１Ｂ及びカムピン９ｂ，１０ｂ）と
の相互作用で１群レンズ枠９及び２群レンズ枠１０を広角位置Ｊ，ＪＫ（図２参照）と望
遠位置Ｋ，ＪＫ（図１参照）との間で出退ａ，ｂさせ、所望の撮影角度で撮影する。また
、３群レンズ枠１１を出退ａ，ｂさせることにより、フォーカッシングを行う。
【００２７】
沈胴操作時には、図３に示すように、カム筒１を逆転ｄさせて回転規制機構Ａ及びカム
機構Ｂの相互作用で２群レンズ枠１０を広角位置Ｊから退避位置Ｑまで後退ｂさせること
により、該２群レンズ枠１０のキー１０ａ及びカムピン１０ｂを２群レンズ枠用スリット
５Ｂから連通溝１４に対応する位置まで後退ｂさせる。
【００２８】
次に、図３（ｂ）に仮想線で示すように、カム筒１の逆転ｄにより２群レンズ枠１０を
回転中心軸Ｏ回りで所定角度回転させて、該２群レンズ枠１０のキー１０ａ及びカムピン
１０ｂを連通溝１４を通って１群レンズ枠用スリット５Ａに対応する位置まで移動させ、
これにより、図５に仮想線で示すように、２群レンズ枠１０のレンズＬ２を１群及び３群
のレンズ枠９，１１のレンズＬ１，Ｌ３間から側方に退避させる。
【００２９】
その後、図４に示すように、カム筒１の逆転ｄにより１群レンズ枠９をカム筒１内に後
退ｂさせると共に、該カム筒１を固定筒２内に後退ｂさせ、さらに、２群レンズ枠１０の
キー１０ａ及びカムピン１０ｂを１群レンズ枠用スリット５Ａ内に退避させることにより
、その２群レンズ枠１０のレンズＬ２を１群レンズ枠９のレンズＬ１に対してオーバーラ
ップさせ、１群レンズ枠９及び２群レンズ枠１０をそれぞれ沈胴位置Ｐに停止させる。
【００３０】
上記構成によれば、沈胴操作時にカム筒１を逆転ｄさせるだけで、２群レンズ枠１０の
レンズＬ２を１群及び３群のレンズ枠９，１１のレンズＬ１，Ｌ３間から側方に退避させ
た後、その２群レンズ枠１０のレンズＬ２を１群レンズ枠９のレンズＬ１に対してオーバ
ーラップさせるから、そのオーバーラップ分βだけ沈胴幅Ｈを小さくして〔図４（ａ）参
照〕、薄型化を図ることができる。
【００３１】
また、２群レンズ枠１０のレンズＬ２を退避させるために、１群レンズ枠用スリット５
Ａと２群レンズ枠用スリット５Ｂとを直進案内筒５に別個に形成すると共に、該直進案内
筒５に両スリット５Ａ，５Ｂの後端部どうしを連通させる連通溝１４を追加して形成して
いるだけであるから、構造が簡単で部品点が増加せず、従来に比べて製作費を大幅に安く
することができる。
【００３２】
上記した第１の実施の形態では、沈胴状態で２群レンズ枠１０のレンズＬ２を１群レン
ズ枠９のレンズＬ１に対してオーバーラップさせたが、これに限定されるわけではなく、
図８に示すように、２群レンズ枠１０のレンズＬ２を１群及び３群のレンズ枠９，１１の
レンズＬ１，Ｌ３の両方に対してオーバーラップさせるようにしてもよい（第２の実施の
形態）。なお、図８中、１８は２群レンズ枠１０に形成した挿通口であって、沈胴時に３
群レンズ枠１１をその挿通口１８に挿通する。
【００３３】
上記構成によれば、２群レンズ枠１０のレンズＬ２と１群及び３群のレンズ枠９，１１
のレンズＬ１，Ｌ３との両方をオーバーラップさせており、その両オーバーラップ分β１
，β２だけ沈胴幅Ｈが小さくなるので、一層小型化を図ることができる。
【００３４】
第３の実施の形態として、沈胴状態で２群レンズ枠１０のレンズＬ２を３群レンズ枠１
１のレンズＬ３に対してだけオーバーラップさせるようにしてもよく、これによれば、オ
ーバーラップ分β２だけ沈胴幅Ｈを小さくすることができ、第１の実施の形態（図１〜図
７参照）とほぼ同様の効果を得ることができる。
【図面の簡単な説明】
【００３５】
【図１】（ａ）は本発明の第１の実施の形態である光学ユニットにおける望遠撮影状態の縦断面図、（ｂ）は同状態の要部の展開図である。
【図２】（ａ）は同広角撮影状態の縦断面図、（ｂ）は同状態の要部の展開図である。
【図３】（ａ）は同沈胴直前状態の縦断面図、（ｂ）は同状態の要部の展開図である。
【図４】（ａ）は同沈胴状態の縦断面図、（ｂ）は同状態の要部の展開図である。
【図５】同正面図である。
【図６】同分解斜視図である。
【図７】同カム筒の展開図である。
【図８】本発明の第２の実施の形態である光学ユニットにおける沈胴状態の縦断面図である。
【図９】（ａ）は従来例における望遠撮影状態の縦断面図、（ｂ）は同状態の要部の展開図である。
【図１０】（ａ）は同広角撮影状態の縦断面図、（ｂ）は同状態の要部の展開図である。
【図１１】（ａ）は同沈胴状態の縦断面図、（ｂ）は同状態の要部の展開図である。
【符号の説明】
【００３６】
１              カム筒
１Ａ            １群レンズ枠用カム溝
１Ｂ            ２群レンズ枠用カム溝
１Ａａ，１Ｂａ  沈胴位置側端部
１Ａｂ，１Ｂｂ  望遠位置側端部
２              固定筒
５              直進案内筒
５Ａ            １群レンズ枠用スリット
５Ｂ            ２群レンズ枠用スリット
５ｂ            直進案内筒の突起部
７              縦溝
９              １群レンズ枠
１０            ２群レンズ枠
１１            ３群レンズ枠
９ａ，１０ａ    キー
９ｂ，１０ｂ    カムピン
１４            連通溝
Ａ              回転規制機構
Ｂ              カム機構
ＣＣＤ          固体撮像素子
Ｏ              回転中心軸
Ｌ１〜Ｌ３      レンズ
Ｚ１〜Ｚ３      光軸
ａ，ｂ          出退
ｃ，ｄ          正逆回転
Ｊ，ＪＫ        広角位置
Ｋ，ＪＫ        望遠位置
Ｐ              沈胴位置
Ｑ              退避位置
【図１】
2007004037.tif 000003
【図２】
2007004037.tif 000004
【図３】
2007004037.tif 000005
【図４】
2007004037.tif 000006
【図５】
2007004037.tif 000007
【図６】
2007004037.tif 000008
【図７】
2007004037.tif 000009
【図８】
2007004037.tif 000010
【図９】
2007004037.tif 000011
【図１０】
2007004037.tif 000012
【図１１】
2007004037.tif 000013